【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
搬送手段によって搬送される検体に含有される樹脂の種類を識別する識別装置であって、
前記搬送手段の搬送面上の前記検体を光源からの光で照明する照明光学系と、
前記照明光学系によって照明された前記検体からのラマン散乱光を採光する採光光学系と、
前記採光光学系によって採光された前記ラマン散乱光を分光する分光素子と、
前記分光素子によって分光された前記ラマン散乱光を受光する受光素子と、
前記受光素子から前記ラマン散乱光のスペクトルデータを取得し、識別処理を行うデータ処理手段と、を有し、
前記照明光学系の光軸と前記採光光学系の光軸とは、交差しており、
前記照明光学系は、前記採光光学系の前記搬送面側の開口数よりも小さい前記搬送面側の開口数を有する結像光学系を含むことを特徴とする識別装置。
【請求項２】
前記採光光学系によって採光された前記ラマン散乱光を前記分光素子へと導光する光ファイバをさらに有することを特徴とする請求項１に記載の識別装置。
【請求項３】
前記照明光学系の光軸と前記採光光学系の光軸とを含む平面と前記搬送手段の搬送方向とがなす角は、０度以上１５度以下であることを特徴とする請求項１または請求項２に記載の識別装置。
【請求項４】
前記照明光学系の光軸と前記採光光学系の光軸とを含む平面は、前記搬送手段の搬送方向に平行であることを特徴とする請求項１または請求項２に記載の識別装置。
【請求項５】
前記照明光学系の光軸と前記搬送面とがなす角と、前記採光光学系の光軸と前記搬送面とがなす角は、異なることを特徴とする請求項１から請求項４のいずれか一項に記載の識別装置。
【請求項６】
前記採光光学系は、前記光のうちの少なくとも一部の波長域の光を遮光して前記ラマン散乱光を透過する波長フィルタを有し、
前記波長フィルタは、前記採光光学系の瞳面に配置されている
ことを特徴とする請求項１から請求項５のいずれか一項に記載の識別装置。
【請求項７】
前記照明光学系は、前記搬送面上に照明領域を形成し、
前記照明領域の前記搬送手段の搬送方向における幅は、前記照明領域の前記搬送手段の搬送方向に垂直な方向における幅よりも大きい
ことを特徴とする請求項１から請求項６のいずれか一項に記載の識別装置。
【請求項８】
前記採光光学系の前記搬送面側の開口数は、前記採光光学系の前記光ファイバ側の開口数よりも大きいことを特徴とする請求項２から請求項７のいずれか一項に記載の識別装置。
【請求項９】
前記採光光学系の前記光ファイバ側の開口数は、前記光ファイバの入射端の開口数よりも小さいことを特徴とする請求項８に記載の識別装置。
【請求項１０】
前記照明光学系は、前記光源からの光を平行光に変換するコリメータ光学系を含むことを特徴とする請求項１から９のいずれか１項に記載の識別装置。
【請求項１１】
搬送手段によって搬送される検体に含有される樹脂の種類を識別する識別装置であって、
前記搬送手段の搬送面に対向し、かつ、前記搬送手段の搬送方向に垂直な方向において異なる位置に配置され、それぞれが、前記搬送手段の搬送面上の検体を光源からの光で照明する照明光学系と、
前記照明光学系によって照明された前記検体からのラマン散乱光を採光する採光光学系と、
を有する複数の採光ユニットと、
前記複数の採光ユニットによって採光された前記ラマン散乱光をそれぞれ導光する複数の光ファイバを有し、出射端側において前記複数の光ファイバが束ねられている光ファイバ束と、
前記光ファイバ束によって導光された複数の前記ラマン散乱光を分光する分光素子と、
前記分光素子によって分光された前記複数のラマン散乱光を受光する受光素子と、
前記受光素子から前記複数のラマン散乱光のスペクトルデータを取得し、識別処理を行うデータ処理手段と、を有し、
前記複数の採光ユニットにおいて、前記照明光学系の光軸と前記採光光学系の光軸とは、交差していることを特徴とする識別装置。
【請求項１２】
前記照明光学系は、前記採光光学系の前記搬送面側の開口数よりも小さい前記搬送面側の開口数を有する結像光学系を含むことを特徴とする請求項１１に記載の識別装置。
【請求項１３】
前記照明光学系は、前記光源からの光を平行光に変換するコリメータ光学系を含むことを特徴とする請求項１１または１２に記載の識別装置。
【請求項１４】
前記複数の光ファイバの出射端は、前記複数の光ファイバの少なくとも一部が列状に配置されていることを特徴とする請求項１１から１３のいずれか一項に記載の識別装置。
【請求項１５】
前記複数の採光ユニットは、前記搬送幅方向において異なる位置に配置されていることを特徴とする請求項１１から１４のいずれか一項に記載の識別装置。
【請求項１６】
前記複数の採光ユニットは、前記搬送方向において異なる位置に配置されていることを特徴とする請求項１１から１５のいずれか一項に記載の識別装置。
【請求項１７】
前記複数の採光ユニットは、前記搬送幅方向において互いに重なる部分を有するように配置されていることを特徴とする請求項１１から１６のいずれか一項に記載の識別装置。
【請求項１８】
前記複数の採光ユニットのそれぞれにおいて、前記照明光学系の光軸と前記採光光学系の光軸とを含む平面と前記搬送手段の搬送方向とがなす角は、０度以上１５度以下であることを特徴とする請求項１１から請求項１７のいずれか一項に記載の識別装置。
【請求項１９】
前記複数の採光ユニットのそれぞれにおいて、前記照明光学系の光軸と前記採光光学系の光軸とを含む平面は、前記搬送手段の搬送方向に平行であることを特徴とする請求項１８に記載の識別装置。
【請求項２０】
前記受光素子は、光電変換素子が二次元的に配置されているエリアイメージセンサであることを特徴とする請求項１から請求項１９のいずれか一項に記載の識別装置。
【請求項２１】
前記搬送手段は、破砕された樹脂片を検体として搬送し、前記照明光学系からの照明光が証明される領域に前記樹脂片を載置するように搬送する搬送面を有することを特徴とする請求項１から２０のいずれか一項に記載の識別装置。
【請求項２２】
請求項１から２１のいずれか一項に記載の識別装置と、
前記搬送手段と、
を有することを特徴とする識別システム。
【請求項２３】
請求項１から２１のいずれか一項に記載の識別装置と、
前記搬送手段と、
前記識別装置よりも前記搬送手段の下流側に配置され、前記識別装置の識別結果に基づいて前記検体を選別する選別手段と、
を有することを特徴とする選別システム。
【手続補正２】
【補正対象書類名】明細書
【補正対象項目名】発明の名称
【補正方法】変更
【補正の内容】
【発明の名称】識別装置、識別システム、および選別システム
【手続補正３】
【補正対象書類名】明細書
【補正対象項目名】００１０
【補正方法】変更
【補正の内容】
【００１０】
本発明の一側面としての樹脂識別装置は、搬送手段によって搬送される検体に含有される樹脂の種類を識別する識別装置であって、前記搬送手段の搬送面上の前記検体を光源からの光で照明する照明光学系と、前記照明光学系によって照明された前記検体からのラマン散乱光を採光する採光光学系と、前記採光光学系によって採光された前記ラマン散乱光を分光する分光素子と、前記分光素子によって分光された前記ラマン散乱光を受光する受光素子と、前記受光素子から前記ラマン散乱光のスペクトルデータを取得し、識別処理を行うデータ処理手段と、を有し、前記照明光学系の光軸と前記採光光学系の光軸とは、交差しており、前記照明光学系は、前記採光光学系の前記搬送面側の開口数よりも小さい前記搬送面側の開口数を有する結像光学系を含むことを特徴とする。
【手続補正４】
【補正対象書類名】明細書
【補正対象項目名】００１１
【補正方法】変更
【補正の内容】
【００１１】
また、本発明の別の一側面としての樹脂識別装置は、搬送手段によって搬送される検体に含有される樹脂の種類を識別する識別装置であって、前記搬送手段の搬送面に対向し、かつ、前記搬送手段の搬送方向に垂直な方向において異なる位置に配置され、それぞれが、前記搬送手段の搬送面上の検体を光源からの光で照明する照明光学系と、
前記照明光学系によって照明された前記検体からのラマン散乱光を採光する採光光学系と、を有する複数の採光ユニットと、前記複数の採光ユニットによって採光された前記ラマン散乱光をそれぞれ導光する複数の光ファイバを有し、出射端側において前記複数の光ファイバが束ねられている光ファイバ束と、前記光ファイバ束によって導光された複数の前記ラマン散乱光を分光する分光素子と、前記分光素子によって分光された前記複数のラマン散乱光を受光する受光素子と、前記受光素子から前記複数のラマン散乱光のスペクトルデータを取得し、識別処理を行うデータ処理手段と、を有し、前記複数の採光ユニットにおいて、前記照明光学系の光軸と前記採光光学系の光軸とは、交差していることを特徴とする。